(57)【要約】      （修正有）【課題】精密機器を保護して性能の低下を抑制できる監視システムを提供する。【解決手段】屋外に設置される収納部２と、収納部２の外部に設置され、監視対象物の物理量を検出する物理量センサ１と、収納部２の内部の状態量を検出する状態量センサ５と、収納部２の内部に設置され、物理量センサ１から出力された物理量センサ信号及び状態量センサ５から出力された状態量センサ信号を処理する信号処理部３Ｃと、収納部２の内部に設置され、物理量センサ信号に基づいて信号処理部３Ｃにより生成された物理量を示す物理量データ、及び状態量センサ信号に基づいて信号処理部３Ｃにより生成された状態量を示す状態量データの少なくとも一方を外部通信部の外部受信部へ送信する送信部３Ｄと、状態量センサ５、信号処理部３Ｃ、及び送信部３Ｄに電力を供給する電力供給部３Ｂと、を備える。【選択図】図２
2016153990.tif 000002
【特許請求の範囲】
【請求項１】
屋外に設置される収納部と、
前記収納部の外部に設置され、監視対象物の物理量を検出する物理量センサと、
前記収納部の内部の状態量を検出する状態量センサと、
前記収納部の内部に設置され、前記物理量センサから出力された物理量センサ信号及び前記状態量センサから出力された状態量センサ信号を処理する信号処理部と、
前記収納部の内部に設置され、前記物理量センサ信号に基づいて前記信号処理部により生成された前記物理量を示す物理量データ、及び前記状態量センサ信号に基づいて前記信号処理部により生成された前記状態量を示す状態量データの少なくとも一方を外部通信部の外部受信部へ送信する送信部と、
前記状態量センサ、前記信号処理部、及び前記送信部に電力を供給する電力供給部と、
を備える監視システム。
【請求項２】
前記収納部の外部に設置された太陽光発電部を備え、
前記電力供給部は、前記太陽光発電部により発電された電力を供給する請求項１に記載の監視システム。
【請求項３】
前記電力供給部は、前記収納部の内部に設置され、前記太陽光発電部により発電された電力を蓄える二次電池を有する請求項２に記載の監視システム。
【請求項４】
前記外部通信部は、操作により指令信号を生成する操作部を有し、
前記送信部は、前記指令信号に基づいて、前記物理量データ及び前記状態量データの少なくとも一方を送信する請求項１から請求項３のいずれか一項に記載の監視システム。
【請求項５】
前記信号処理部は、前記物理量センサ信号が第１許容範囲内にあるか否かを判定する第１判定部と、前記状態量センサ信号が第２許容範囲内にあるか否かを判定する第２判定部と、を含み、
前記送信部は、前記第１判定部の判定結果及び前記第２判定部の判定結果に基づいて、前記物理量データ及び前記状態量データの少なくとも一方を送信する請求項１から請求項４のいずれか一項に記載の監視システム。
【請求項６】
前記送信部は、前記物理量データ及び前記状態量データの少なくとも一方を無線で送信する請求項１から請求項５のいずれか一項に記載の監視システム。
【請求項７】
前記送信部は、ＰＨＳ回線を用いて前記物理量データ及び前記状態量データの少なくとも一方を送信する請求項１から請求項６のいずれか一項に記載の監視システム。
【請求項８】
前記収納部の内部を換気する換気部を備える請求項１から請求項７のいずれか一項に記載の監視システム。
【発明の詳細な説明】
【技術分野】
【０００１】
本発明は、監視システムに関する。
【背景技術】
【０００２】
監視対象物を監視する監視システムに係る技術分野において、センサを使って監視対象物のデータを取得し、取得したデータを無線で送信する監視システムが知られている。このような監視システムにおいて、太陽電池で発電された電力によりセンサを駆動し、センサで取得したデータを、無線データ送信部を使って送信するシステムの一例が特許文献１に開示されている。
【先行技術文献】
【特許文献】
【０００３】
【特許文献１】特開２００４−２８８０９２号公報
【発明の概要】
【発明が解決しようとする課題】
【０００４】
特許文献１に開示のような監視システムにおいて、システム全体を屋外で使用する場合、無線データ送信部のような精密機器が埃、直射日光、及び湿気等に晒されると、精密機器が故障してしまう可能性がある。このため、精密機器を有する監視システムを埃、直射日光、及び湿気等から保護する必要がある。
【０００５】
本発明の態様は、埃、直射日光、及び湿気等から精密機器を保護して性能の低下を抑制できる監視システムを提供することを目的とする。
【課題を解決するための手段】
【０００６】
本発明の態様に従えば、屋外に設置される収納部と、前記収納部の外部に設置され、監視対象物の物理量を検出する物理量センサと、前記収納部の内部の状態量を検出する状態量センサと、前記収納部の内部に設置され、前記物理量センサから出力された物理量センサ信号及び前記状態量センサから出力された状態量センサ信号を処理する信号処理部と、前記収納部の内部に設置され、前記物理量センサ信号に基づいて前記信号処理部により生成された前記物理量を示す物理量データ、及び前記状態量センサ信号に基づいて前記信号処理部により生成された前記状態量を示す状態量データの少なくとも一方を外部通信部の外部受信部へ送信する送信部と、前記状態量センサ、前記信号処理部、及び前記送信部に電力を供給する電力供給部と、を備える監視システムが提供される。
【０００７】
本発明の態様によれば、状態量センサ、信号処理部、及び送信部を含む精密機器が収納部の内部に設置されるので、それら精密機器は収納部によって保護される。これにより、監視システムの性能の低下が抑制される。精密機器は、収納部に保護された状態で、電力供給部から供給された電力により良好に作動することができる。物理量センサを使って取得された監視対象物の物理量が外部受信部に送信されるので、外部受信部を介して監視対象物の状態を監視することができる。状態量センサを使って取得された収納部の内部の状態量が外部受信部に送信されるので、外部受信部を介して収納部の内部の状態も監視することができる。そのため、監視対象物のみならず、収納部の内部の異常の有無を把握することができる。
【０００８】
本発明の態様において、前記収納部の外部に設置された太陽光発電部を備え、前記電力供給部は、前記太陽光発電部により発電された電力を供給してもよい。
【０００９】
これにより、屋外において太陽光発電部は十分に発電することができ、精密機器は、太陽光発電部によって発電された電力により良好に作動することができる。また、太陽光発電部が設置されることにより、屋外において、精密機器に電力を供給するための電源ケーブルを敷設する必要が無くなり、コストの低減を図ることができる。
【００１０】
本発明の態様において、前記電力供給部は、前記収納部の内部に設置され、前記太陽光発電部により発電された電力を蓄える二次電池を有してもよい。
【００１１】
これにより、曇天時及び夜間においても、電力を供給することができる。また、二次電池は、収納部によって保護される。
【００１２】
本発明の態様において、前記外部通信部は、操作により指令信号を生成する操作部を有し、前記送信部は、前記指令信号に基づいて、前記物理量データ及び前記状態量データの少なくとも一方を送信してもよい。
【００１３】
これにより、操作部が操作されたタイミングで、監視対象物の物理量データ及び収納部の内部の状態量データの少なくとも一方を取得することができる。
【００１４】
本発明の態様において、前記信号処理部は、前記物理量センサ信号が第１許容範囲内にあるか否かを判定する第１判定部と、前記状態量センサ信号が第２許容範囲内にあるか否かを判定する第２判定部と、を含み、前記送信部は、前記第１判定部の判定結果及び前記第２判定部の判定結果に基づいて、前記物理量データ及び前記状態量データの少なくとも一方を送信してもよい。
【００１５】
これにより、監視対象物の物理量の異常の有無、及び収納部の内部の状態量の異常の有無を迅速に把握することができる。
【００１６】
本発明の態様において、前記送信部は、前記物理量データ及び前記状態量データの少なくとも一方を無線で送信してもよい。
【００１７】
これにより、コストの上昇を抑制しつつ、遠隔地において、監視対象物の物理量データ及び収納部の内部の状態量データの少なくとも一方を取得することができる。
【００１８】
本発明の態様において、前記送信部は、ＰＨＳ回線を用いて前記物理量データ及び前記状態量データの少なくとも一方を送信してもよい。
【００１９】
これにより、監視システムとは別の電子機器に及ぼす影響を最小限に抑えることができる。
【００２０】
本発明の態様において、前記収納部の内部を換気する換気部を備えてもよい。
【００２１】
これにより、収納部の内部の過度な温度上昇を抑制することができる。そのため、精密機器の劣化が抑制される。
【発明の効果】
【００２２】
本発明の態様によれば、精密機器を保護して性能の低下を抑制できる監視システムが提供される。
【図面の簡単な説明】
【００２３】
【図１】図１は、本実施形態に係る監視システムの一例を模式的に示す図である。
【図２】図２は、本実施形態に係る監視システムの内部構成の一例を示す断面図である。
【図３】図３は、本実施形態に係る監視システムの一例を示すブロック図である。
【図４】図４は、本実施形態に係る監視方法の一例を示すフローチャートである。
【図５】図５は、本実施形態に係る監視方法の一例を示すフローチャートである。
【発明を実施するための形態】
【００２４】
以下、本発明に係る実施形態について図面を参照しながら説明するが、本発明はこれに限定されない。以下で説明する各実施形態の構成要素は、適宜組み合わせることができる。また、一部の構成要素を用いない場合もある。
【００２５】
図１は、本実施形態に係る監視システム１００の一例を模式的に示す図である。監視システム１００は、屋外にある監視対象物２００の保管状態を監視する。監視対象物２００は、屋外で保管される機器２０１及び機器２０１を覆うカバー部材２０２を有する。機器２０１は、例えば、発電プラントで使用される機器でもよい。
【００２６】
カバー部材２０２は、シート状の部材である。カバー部材２０２で覆われることにより、機器２０１は、埃及び直射日光等から保護される。カバー部材２０２によって、密閉された内部空間２０３が形成される。機器２０１は、内部空間２０３に保管される。内部空間２０３は空気で満たされる。機器２０１の内面の腐食を抑制するために、機器２０１の内部に窒素ガスが封入される。窒素ガスは、封入管２０４を介して、機器２０１の内部に供給される。封入管２０４にバルブ機構２０５が設けられている。
【００２７】
本実施形態の監視システム１００は、監視対象物２００の物理量を監視する。本実施形態においては、監視対象物２００の物理量が、機器２０１の内部の窒素ガスの圧力である例について説明する。監視システム１００は、圧力センサである物理量センサ１を使って、機器２０１の内部の圧力を検出する。物理量センサ１は、封入管２０４に設けられる。封入管２０４に物理量センサ１を取り付けるとき又は封入管２０４から物理量センサ１を取り外すとき、機器２０１の内部の窒素ガスの漏出を抑制するために、バルブ機構２０５によって封入管２０４の流路が閉じられる。
【００２８】
監視システム１００は、屋外に設置される収納部２と、機器２０１の内部の圧力を検出する収納部２の外部に設置される物理量センサ１と、収納部２の内部に設置される精密機器３と、太陽光発電部４とを備えている。精密機器３は、電子機器、コンピュータ機器、センサ機器、及び情報機器の少なくとも一つを有する。収納部２の内部に設置されることによって、精密機器３は、埃、直射日光、及び湿気等から保護される。太陽光発電部４によって発電された電力により、精密機器３が作動する。また、監視システム１００は、外部通信部５０と通信することができる。
【００２９】
図２は、本実施形態に係る監視システム１００の内部構成の一例を示す図である。監視システム１００は、収納部２の外部にある監視対象物２００の物理量（圧力）を検出する収納部２の外部に設置される物理量センサ１と、屋外に設置される収納部２と、収納部２の内部に設置される精密機器３と、収納部２の外部に設置される太陽光発電部４と、収納部２の内部の状態量を検出する収納部２の内部に設置される状態量センサ５と、太陽光発電部４により発電された電力を蓄える収納部２の内部に設置されるバッテリ６とを備えている。これらは、図示しないケーブル等で配線されている。
【００３０】
収納部２は、外形がほぼ直方体の収納庫である。収納部２は、実質的に密閉された内部空間２Ｓを有する。内部空間２Ｓが実質的に密閉されることにより、収納部２の外部の埃が内部空間２Ｓに入ることが抑制される。精密機器３、状態量センサ５、及びバッテリ６は、内部空間２Ｓに設置される。本実施形態において、収納部２の内部に棚２Ｔが設けられる。精密機器３は、棚２Ｔの上に設置される。バッテリ６は、棚２Ｔの下に設置される。一般に、バッテリ６は、精密機器３よりも重い。そのため、バッテリ６が棚２Ｔの下に設置され、精密機器３が棚２Ｔの上に設置されることによって、収納部２の重量バランスの低下が抑制される。
【００３１】
太陽光発電部４は、収納部２の外部に設置される。太陽光発電部４は、収納部２の天板の上に設置されたソーラパネルを有する。太陽光発電部４に太陽光が照射されることにより、太陽光発電部４は発電する。太陽光発電部４により発電された電力は、二次電池であるバッテリ６に蓄電される。精密機器３は、バッテリ６からの電力供給によって作動する。太陽光発電部４を用いることにより、屋外において精密機器３に電力を供給するための電源ケーブルを敷設する必要が無くなる。
【００３２】
本実施形態において、収納部２の内部の状態量は、収納部２の内部の温度及び湿度等である。このため、状態量センサ５は、収納部２の内部の温度を検出する温度センサ５Ａ、収納部２の内部の湿度を検出する湿度センサ５Ｂ等のセンサを有する。また、収納部２の内部に、状態量センサ５で検出された状態量を表示する表示部７が設けられている。表示部７は、収納部２の内部の温度及び湿度等を表示する。
【００３３】
精密機器３は、バッテリ６の充放電を制御する制御器３Ａと、バッテリ６から供給された電力を直流から交流に変換する電力変換器３Ｂと、物理量センサ１から出力された物理量センサ信号及び状態量センサ５から出力された状態量センサ信号を処理する信号処理器３Ｃと、物理量センサ１で検出された機器２０１の内部の物理量を示す物理量データ及び状態量センサ５で検出された収納部２の内部の状態量を示す状態量データの少なくとも一方を外部通信部５０に送信する通信器３Ｄと、を備えている。本実施形態において、物理量センサ信号は圧力センサ信号であり、物理量データは圧力データである。状態量センサ信号は温度センサ信号及び湿度センサ信号であり、状態量データは温度データ及び湿度データである。
【００３４】
また、監視システム１００は、収納部２の内部を換気する換気部８を備えている。換気部８は、収納部２の側壁に設けられた通気口と、通気口に配置されるベントフィルタとを有する。本実施形態において、換気部８は、棚２Ｔよりも上側の内部空間２Ｓを換気する換気部８Ａと、棚２Ｔよりも下側の内部空間２Ｓを換気する換気部８Ｂと、を有する。通気口により、収納部２の内部が換気され、収納部２の内部の過度な温度上昇が抑制される。また、通気口により、バッテリ６から放出された水素ガスが収納部２の外部に排出される。ベントフィルタにより、収納部２の外部の水分が収納部２の内部に流入することが抑制され、収納部２の内部の過度な湿度上昇が抑制される。また、ベントフィルタにより、収納部２の外部の埃が収納部２の内部に侵入することが抑制される。
【００３５】
図３は、本実施形態に係る監視システム１００の一例を示すブロック図である。図３に示すように、監視システム１００は、収納部２の外部に設置され、収納部２の外部にある監視対象物２００の物理量を検出する物理量センサ１と、収納部２の外部に設置される太陽光発電部４と、収納部２の内部に設置され、物理量センサ１から出力された物理量センサ信号及び状態量センサ５から出力された状態量センサ信号を処理する信号処理部１０と、収納部２の内部に設置され、信号処理部１０により生成された物理量データ及び状態量データの少なくとも一方を外部通信部５０へ送信する送信部２１を有する通信部２０と、状態量センサ５等の構成機器に電力を供給する電力供給部３０と、を備えている。
【００３６】
また、監視システム１００は、バッテリ６の充放電を制御する制御部４１と、直流を交流に変換する電力変換部４２と、を備えている。
【００３７】
制御部４１は、制御器３Ａに設けられる。電力変換部４２は、電力変換器３Ｂに設けられる。信号処理部１０は、信号処理器３Ｃに設けられる。通信部２０は、通信器３Ｄに設けられる。なお、１つの機器が、制御部４１、電力変換部４２、信号処理部１０、及び通信部２０の機能を有してもよい。
【００３８】
太陽光発電部４は、発電した電力を制御部４１に供給する。電力供給部３０は、バッテリ６を有し、太陽光発電部４により発電された電力をバッテリ６に蓄電し、バッテリ６に蓄電された電力を状態量センサ５等の構成機器に電力変換部４２を介して供給する。電力変換部４２は、バッテリ６から供給された電力を直流から交流に変換する。電力変換部４２は、状態量センサ５、信号処理部１０、及び通信部２０等のそれぞれの構成機器に電力を供給する。
【００３９】
物理量センサ１は圧力センサであり、監視対象物２００の機器２０１の内部の圧力を検出し、物理量センサ信号を信号処理部１０に出力する。信号処理部１０は、この物理量センサ信号に基づいて、監視対象物２００の物理量（機器２０１の内部の圧力）を示す物理量データを生成する。状態量センサ５は温度センサ５Ａ及び湿度センサ５Ｂを有し、収納部２の内部の温度及び湿度を検出して、温度及び湿度の状態量センサ信号を信号処理部１０に出力する。信号処理部１０は、この状態量センサ信号に基づいて、収納部２の内部の温度を示す状態量データ及び収納部２の内部の湿度示す状態量データを生成する。
【００４０】
信号処理部１０によって生成される物理量データは、音声データを含む。信号処理部１０において、機器２０１の内部の圧力データが、音声データに変換される。同様に、信号処理部１０によって生成される状態量データは、音声データを含む。信号処理部１０において、収納部２の内部の温度データ及び湿度データが、音声データに変換される。
【００４１】
通信部２０の送信部２１は、信号処理部１０により生成された物理量データ及び状態量データの少なくとも一方を、外部通信部５０の外部受信部５１へ送信する。送信部２１は、無線データ送信部を有し、物理量データ及び状態量データの少なくとも一方を無線で送信する。
【００４２】
本実施形態において、送信部２１及び受信部２２は、ＰＨＳ回線を用いて、物理量データ及び状態量データの少なくとも一方を外部受信部５１に送信する。ＰＨＳ回線は、携帯電話回線に比べて、電波の強度が低く、監視システム１００とは別の電子機器に及ぼす影響が小さい。
【００４３】
外部通信部５０は、電話機能を有する。外部通信部５０は、携帯端末（ＰＨＳ端末）を含む。作業者は、この外部通信部５０を所持する。なお、外部通信部５０は、監視センターに設置された固定電話機でもよい。
【００４４】
外部通信部５０は、外部受信部５１と、外部送信部５２と、操作部５３とを有する。操作部５３は、操作ボタン又はタッチパネルを有し、作業者により操作される。操作部５３が操作されると、その操作により、操作部５３は指令信号を生成する。操作部５３で生成された指令信号は、通信部２０の受信部２２に無線で送信される。送信部２１は、受信部２２で受信した指令信号に基づいて、物理量データ及び状態量データの少なくとも一方を送信する。
【００４５】
次に、本実施形態に係る監視システム１００を用いる監視方法の一例について説明する。本実施形態において、監視システム１００は、少なくとも、第１の機能及び第２の機能を有する。
【００４６】
第１の機能は、作業者により外部通信部５０の操作部５３が操作され、監視システム１００に対して監視対象物２００の物理量の問い合わせが実施されたとき、現在の物理量データを監視システム１００の送信部２１から外部通信部５０に送信する機能と、同様に、収納部２の内部の状態量の問い合わせが実施されたとき、現在の状態量データを外部通信部５０に送信する機能である。
【００４７】
第２の機能は、監視対象物２００の物理量又は収納部２の内部の状態量が許容範囲内にないとき、その物理量データ又は状態量データが監視システム１００の送信部２１から外部通信部５０に自動的に通報される機能である。
【００４８】
以下の説明においては、第１の機能を適宜、問い合わせ機能と称し、第２の機能を適宜、通報機能と称する。
【００４９】
問い合わせ機能について、図４のフローチャートを参照しながら説明する。作業者（監視者）は、監視対象物２００の物理量（機器２０１の内部の圧力）の現在の状況、又は収納部２の内部の状態量（収納部２の内部の温度又は湿度）の現在の状況を知りたいとき、外部通信部５０の操作部５３を操作する（ステップＳＡ１）。機器２０１の内部の圧力を知りたいときの操作部５３の操作条件、収納部２の内部の温度を知りたいときの操作部５３の操作条件、及び収納部２の内部の湿度を知りたいときの操作部５３の操作条件は、予め決められている。一例として、操作部５３が「０」から「９」の操作ボタンを有する場合、機器２０１の内部の圧力を知りたいときには、「１」、「２」、「３」と操作し、収納部２の内部の温度を知りたいときには、「４」、「５」、「６」と操作し、収納部２の内部の湿度を知りたいときには、「７」、「８」、「９」と操作する。
【００５０】
操作部５３の操作条件に基づく指令信号（問い合わせ信号）が、外部操作部５０の外部送信部５２から、通信部２０の受信部２２に無線で送信される（ステップＳＡ２）。受信部２２は、取得した指令信号を信号処理部１０に出力する。
【００５１】
以下の説明においては、機器２０１の内部の圧力を知りたいときに送信される指令信号を適宜、圧力問い合わせ信号と称し、収納部２の内部の温度を知りたいときに送信される指令信号を適宜、温度問い合わせ信号と称し、収納部２の内部の湿度を知りたいときに送信される指令信号を適宜、湿度問い合わせ信号と称する。
【００５２】
信号処理部１０は、物理量センサ１からの物理量センサ信号、及び状態量センサ５からの状態量センサ信号をモニタしている。信号処理部１０は、取得した指令信号に基づいて、物理量データ及び状態量データの少なくとも一方を生成する（ステップＳＡ３）。例えば、圧力問い合わせ信号を取得したとき、信号処理部１０は、圧力問い合わせ信号を取得した時点の圧力センサ信号から圧力データを生成する。温度問い合わせ信号を取得したとき、信号処理部１０は、温度問い合わせ信号を取得した時点の温度センサ信号から温度データを生成する。湿度問い合わせ信号を取得したとき、信号処理部１０は、湿度問い合わせ信号を取得した時点の湿度センサ信号から湿度データを生成する。
【００５３】
送信部２１は、生成された物理量データ及び状態量データの少なくとも一方を、ＰＨＳ回線を用いて、外部受信部５１に送信する（ステップＳＡ４）。送信部２１は、指令信号（問い合わせ信号）に基づいて、圧力データ、温度データ、及び湿度データの少なくとも一つを外部受信部５１に送信する。これにより、作業者は、知りたかった物理量（機器２０１の内部の圧力）、又は知りたかった状態量（収納部２の温度又は湿度）を知ることができる。
【００５４】
上述のように、本実施形態において、信号処理部１０は、物理量データ及び状態量データの音声データを生成する。送信部２１は、信号処理部１０で生成された音声データを外部通信部５０に送信する。外部通信部５０は、電話機能を有するため、作業者は、外部通信部５０を介して、物理量データ又は状態量データを、音声により知ることができる。例えば、送信部２１から、「現在の機器２０１の内部の圧力は、ＡＡＡパスカルです」、「現在の収納部２の内部の温度は、ＢＢ度です」、「現在の収納部２の内部の湿度は、ＣＣパーセントです」のような音声データを外部通信部５０に送信する。その音声データは、外部通話部５０で音声に変換され、外部通信部５０に設けられているスピーカーから出力される。これにより、作業者は、物理量データ又は状態量データを音声で知ることができる。
【００５５】
次に、通報機能について、図５のフローチャートを参照しながら説明する。信号処理部１０は、物理量センサ１からの物理量センサ信号、及び状態量センサ５からの状態量センサ信号をモニタしている（ステップＳＢ１）。信号処理部１０は、取得した物理量センサ信号が第１許容範囲内にあるか否かを判定する（ステップＳＢ２）。また、信号処理部１０は、取得した状態量センサ信号が第２許容範囲内にあるか否かを判定する（ステップＳＢ３）。
【００５６】
図３に示したように、信号処理部１０は、物理量センサ信号が第１許容範囲内にあるか否かを判定する第１判定部１１と、状態量センサ信号が第２許容範囲内にあるか否かを判定する第２判定部１２と、を備える。
【００５７】
第１許容範囲は、機器２０１の腐食が抑制されるように定められた範囲である。例えば、機器２０１の内部の圧力が第１許容範囲よりも低い場合、機器２０１の内部の窒素ガスが不足している可能性が高く、機器２０１が腐食する可能性がある。機器２０１の内部の圧力が第１許容範囲よりも高い場合、機器２０１の内部に過度な力が作用し、機器２０１が破損する可能性がある。また、機器２０１の破損により機器２０１の内部が窒素ガスで満たされなくなり、機器２０１が腐食する可能性がある。
【００５８】
第２許容範囲は、通信部２０等の精密機器３が正常に作動するように耐用環境に基づいて定められた範囲である。例えば、夏期においては、収納部２の内部の温度が過度に上昇する可能性がある。冬期においては、収納部２の内部の温度が過度に下降する可能性がある。収納部２の内部の温度が第２許容範囲よりも高かったり低かったりすると、通信部２０等が正常に作動せず、送信部２１からの送信、及び受信部２２の受信が正常に行われなくなる可能性がある。同様に、収納部２の内部の湿度が第２許容範囲よりも高かったり低かったりすると、送信部２１からの送信、及び受信部２２の受信が正常に行われなくなる可能性がある。
【００５９】
ステップＳＢ２において、物理量センサ信号が第１許容範囲内であると判断され、ステップＳＢ３において、状態量センサ信号が第２許容範囲内であると判断された場合（ステップＳＢ２：Ｙｅｓ、ステップＳＢ３：Ｙｅｓ）、信号処理部１０は、物理量センサ１からの物理量センサ信号、及び状態量センサ５からの状態量センサ信号のモニタを継続する。
【００６０】
ステップＳＢ２において、物理量センサ信号が第１許容範囲内にないと判断された場合（ステップＳＢ２：Ｎｏ）、信号処理部１０は、監視対象物２００の物理量（機器２０１の内部の圧力）が異常であると判断する。信号処理部１０は、異常であると判断したときの物理量データを生成する（ステップＳＢ４）。
【００６１】
送信部２１は、生成された物理量データを、ＰＨＳ回線を用いて、外部受信部５１に送信する（ステップＳＢ６）。例えば、送信部２１から、「現在の機器２０１の内部の圧力は、ＤＤＤパスカルです。異常な圧力になっています」のような音声データを外部通信部５０に送信する。その音声は、外部通信部５０に設けられているスピーカーから出力される。これにより、作業者は、監視対象物２００の物理量が異常であることを把握することができる。
【００６２】
ステップＳＢ３において、状態量センサ信号が第２許容範囲内にないと判断された場合（ステップＳＢ３：Ｎｏ）、信号処理部１０は、収納部２の内部の状態量（収納部２の内部の温度又は湿度）が異常であると判断する。信号処理部１０は、異常であると判断したときの状態量データを生成する（ステップＳＢ５）。
【００６３】
送信部２１は、生成された状態量データを、ＰＨＳ回線を用いて、外部受信部５１に送信する（ステップＳＢ６）。例えば、送信部２１から、「現在の収納部２の内部の温度は、ＥＥ度です。異常な温度になっています」、「現在の収納部２の内部の湿度は、ＦＦパーセントです。異常な湿度になっています」のような音声データを外部通信部５０に送信する。その音声は、外部通信部５０に設けられているスピーカーから出力される。これにより、作業者は、収納部２の内部の状態量が異常であることを把握することができる。
【００６４】
このように、第１判定部１１の判定結果及び第２判定部１２の判定結果に基づいて、物理量データ及び状態量データの少なくとも一方が送信部２１から外部通信部５０に送信されることによって、監視対象物２００の異常の有無、又は収納部２の内部の異常の有無を把握することができる。
【００６５】
以上説明したように、本実施形態によれば、外部受信部５１を介して、監視対象物２００の状態、及び収納部２の内部の状態の両方を監視することができる。監視対象物２００又は収納部２の内部に異常が有る場合、異常を解消するための措置を実施することができるので、屋外で保管される機器２０１の腐食や監視システム１００の性能の低下が抑制される。
【００６６】
また、本実施形態によれば、外気の影響を受けない高価な収納部を用いることなく、精密機器３を安価に保護することができる。
【００６７】
また、本実施形態によれば、監視対象物２００の物理量データ及び収納部２の内部の状態量データを、遠隔地から任意のタイミングで取得することができる。また、異常が発生した場合、作業者に自動的に通報されるので、作業者は、異常の発生を迅速に知ることができる。
【００６８】
なお、本実施形態においては、監視対象物２００の物理量が、機器２０１の内部の窒素ガスの圧力であることとした。監視対象物２００の物理量は、内部空間２０３の圧力又は温度でもよい。また、監視対象物２００は、機器２０１又はカバー部材２０２に限定されない。監視対象物２００は、プラントの一部でもよいし、水を溜めるタンクが監視対象物２００でもよい。タンクの物理量は、タンクの水の量（水位）でもよいし、タンクから流出する水の流量でもよいし、タンクの水の温度でもよい。その場合、物理量センサとして、水位センサ、流量センサ、又は温度センサを用いることにより、監視対象物２００の物理量を検出することができる。
【００６９】
また、監視対象物２００の物理量は、原子力発電プラントの物理量でもよい。例えば、物理量が放射線量であり、物理量センサが放射線量センサでもよい。
【００７０】
なお、本実施形態においては、信号処理部１０は、物理量データ及び状態量データの音声データを生成し、送信部２１は、その音声データを送信することとした。信号処理部１０は、物理量データ及び状態量データの画像データ又は文字データを生成してもよい。送信部２１は、その画像データ又は文字データを外部通信部５０に送信してもよい。外部通信部５０が表示部を有する場合、その表示部に画像データ又は文字データが表示されることによって、作業者は、監視対象物２００の物理量又は収納部２の内部の状態量を把握することができる。
【符号の説明】
【００７１】
１  物理量センサ
２  収納部
２Ｓ  内部空間
３  精密機器
３Ａ  制御器
３Ｂ  電力変換器
３Ｃ  信号処理器
３Ｄ  通信器
４  太陽光発電部
５  状態量センサ
５Ａ  温度センサ
５Ｂ  湿度センサ
６  バッテリ
７  表示部
８  換気部
１０  信号処理部
１１  第１判定部
１２  第２判定部
２０  通信部
２１  送信部
２２  受信部
３０  電力供給部
４１  制御部
４２  電力変換部
５０  外部通信部
５１  外部受信部
５２  外部送信部
５３  操作部
１００  監視システム
２００  監視対象物
２０１  機器
２０２  カバー部材
２０３  内部空間
２０４  封入管
２０５  バルブ機構
【図１】
2016153990.tif 000003
【図２】
2016153990.tif 000004
【図３】
2016153990.tif 000005
【図４】
2016153990.tif 000006
【図５】
2016153990.tif 000007